(57)【要約】【課題】  本発明は、薬に関する知識が豊富でない患者が、処方されている薬を自分自身が選択した薬に変更できるようにすること。【解決手段】複数の製薬会社のコンピュータ５、各患者のコンピュータ３、並びに複数の調剤薬局のコンピュータ４と通信回線により接続されるネットワークサーバ２に設定される医薬品の変更支援システムであって、患者のコンピュータ３から、薬名を受信する受信手段Ｒ１と、受信手段Ｒ１により受信した薬名に基づいてその薬と有効成分が同じ薬の情報一覧を開示する薬情報の開示手段Ｄ１と、開示手段Ｄ１により開示薬情報の一覧に基づき、患者自身が選択した薬が記載された処方希望薬品リスト１８の開示を希望する指示情報を受信する受信手段Ｒ２と、受信手段Ｒ２により受信した指示情報に基づき、患者の希望する処方希望薬品リスト１８を開示する処方希望薬品リストの開示手段Ｄ２とで医薬品の変更支援システムを構成している。【選択図】  図６
2007334804.tif 000002
【特許請求の範囲】
【請求項１】
複数の製薬会社のコンピュータ、各患者のコンピュータ、並びに複数の調剤薬局のコンピュータと通信回線により接続されるネットワークサーバに設定される医薬品の変更支援システムであって、
患者のコンピュータから、薬名、薬コードなどの薬データを受信する受信手段Ｒ１と、
受信手段Ｒ１により受信した薬データに基づいて、その薬と有効成分が同じ薬の情報一覧を開示あるいは患者のコンピュータに向けて送信する薬情報の開示手段Ｄ１と、
開示手段Ｄ１により開示あるいは送信された薬情報の一覧に基づき、患者のコンピュータから、患者が選択した薬が記載された処方希望薬品リストの開示あるいは送信を希望する旨の指示情報を受信する受信手段Ｒ２と、
受信手段Ｒ２により受信した指示情報に基づき、患者のコンピュータに向けて、患者が選択した薬が記載された処方希望薬品リストを開示あるいは送信する処方希望薬品リストの開示手段Ｄ２と、
を備えることを特徴とする医薬品の変更支援システム。   
【請求項２】
前記ネットワークサーバは、該ネットワークサーバと通信回線により接続される複数の調剤薬局の場所、特長、扱っている医薬品、在庫等に関する調剤薬局情報を、患者のコンピュータからのアクセスに応じて開示あるいは患者のコンピュータに向けて送信する調剤薬局情報の開示手段Ｈと、
開示手段Ｈにより開示あるいは送信された調剤薬局情報に基づき、患者のコンピュータから、患者が選択した薬の調合並びに調合された薬の受け取りを希望する調剤薬局に関する指示情報を受信する受信手段Ｊと、
受信手段Ｊにより受信した指示情報に基づき、患者の希望する調剤薬局のコンピュータに向けて、患者が選択した薬の調合を依頼する旨の依頼情報を送信する送信手段Ｔ１と、
送信手段Ｔ１により調合依頼情報が調剤薬局のコンピュータにおいて受任された状態で患者のコンピュータに向け、前記調剤薬局おいて薬の調合が受任確認された旨の情報を送信する送信手段Ｔ２と、
をさらに備えることを特徴とする請求項１に記載の医薬品の変更支援システム。
【請求項３】
前記ネットワークサーバは、該ネットワークサーバと通信回線により接続される複数の製薬会社の自社製医薬品に関する薬の詳細情報を、患者のコンピュータからのアクセスに基づいて開示あるいは患者のコンピュータに向けて送信する薬の詳細情報の開示手段Ｈを、
さらに備えることを特徴とする請求項１または２に記載の医薬品の変更支援システム。
【請求項４】
前記ネットワークサーバは、開示手段Ｄ１により開示あるいは送信された薬情報の一覧に基づき、患者のコンピュータから、患者自身が選択した薬が記載された処方箋の開示あるいは送信を希望する旨の指示情報を患者のコンピュータから受信する受信手段Ｒ３と、
受信手段Ｒ３により受信した指示情報に基づき、患者のコンピュータに向けて、患者が選択した薬が記載された処方箋を開示あるいは送信する処方箋の開示手段Ｄ３と、
をさらに備えることを特徴とする請求項１〜３のいずれか１項に記載の医薬品の変更支援システム。
【発明の詳細な説明】
【技術分野】
【０００１】
本発明は、医薬品に関する知識があまり豊富でない患者自身が、現在処方されている薬をもっと安価で飲みやすい薬に変更することを支援する医薬品の変更支援システムに関する。
【背景技術】
【０００２】
従来、医療分野においては通信技術の発達により、医療機関、調剤薬局、患者等がネットワーク通信を介して接続されることにより、様々な情報通信システムの提案がなされている。例えば病院内で調剤薬局を選択して、処方箋の内容を調剤薬局に送信することで、患者がスムーズに薬を受領することが可能な「処方箋予約受付けシステム」（特許文献1参照）や、処方箋情報の通信上の管理を徹底化することで、患者のプライバシーの保護を図ることを可能とした「処方箋情報の管理装置」（特許文献２参照）等が開示されている。しかし、製薬会社がネットワーク通信を介して患者に直接薬の情報を提供するシステムはなく、患者は薬に関する情報は常に医師や薬剤師によってもたらされていた。
【０００３】
さて、医療機関で処方される薬（医療用医薬品）には、同じ成分・同じ効目でありながら高価な薬と安価な薬が存在する。高価な薬は日本で最初に発売される薬で、新薬〔先発医薬品〕と称され、研究・開発に莫大なコストと年月がかかるため、薬価が高く設定されている。これに対し、安価な薬は新薬の特許期間満了後に厚生労働省の承認を得て発売される薬で、新薬に比べて大幅な開発コスト削減と開発期間の短縮が可能なため、新薬と同じ成分・同じ効き目でありながら、その薬価は２割〜８割も安く、今や複数の製薬会社から様々な薬が発売されている。これらの薬はジェネリック医薬品（後発医薬品）と総称され、近頃ではＴＶコマーシャルなどの影響で多くの人がその存在を認知する状況となってきている。
【０００４】
一方、従来患者に処方される医薬品は医師の判断によって決定されるため、これまでは処方される医薬品を患者が選ぶことは困難であった。しかし、２００６年４月の処方箋の様式変更により、患者自身が薬を選択できる環境が整ってきている。
【特許文献１】特開２００１−１４４０３号公報
【特許文献２】特開２００１−３２５３５８号公報
【発明の開示】
【発明が解決しようとする課題】
【０００５】
しかしこのような状況下、患者、調剤薬局並びにジェネリック医薬品の製薬会社を取り巻く環境には次のような問題が生じている。まず、慢性疾患などにより長期的に薬を服用し続けなければならない患者にとって、薬代は大きな負担である。したがって、同じ成分・同じ効目の薬であるならば、より安価な薬すなわちジェネリック医薬品を選択し、少しでも薬代の負担を軽減したいところである。さらに、せっかく自分自身で選べるならば単に安価なだけでなく、信頼性、飲み易さなどを十分考慮した上で選びたいものである。しかしながら、患者の多くはジェネリック医薬品に関する知識が不十分であるばかりか、どのようにしたら今処方されている薬をジェネリック医薬品に変更することができるのかわからないという課題を抱えている。
【０００６】
一方、調剤薬局を取り巻く収益環境は処方箋料や調剤料、薬価の引き下げなどにより急速に悪化してきている。したがって、新たな顧客層を開拓し、顧客の定着を図ることが急務とされる。さらに、調剤薬局は病院に隣接する一部調剤薬局にだけ処方箋が集中するいわゆる点調剤に頼っている。このことにより薬局がつぶれてしまう可能性が増し、近隣の病院や患者に不都合や不便を与えてしまうことが懸念されている。
【０００７】
他方、ジェネリック医薬品を主要な商品としている製薬会社は、一般医薬品を多くラインナップにもつ製薬会社より、患者への認知度が低いと思われがちである。さらに近年、患者のセルフメディケーションの意識の高まりにより、薬に対して患者との直接の接点である調剤薬局の薬剤師に対して製品の有効性と信頼性を訴えて、ブランドの確立を図る必要性が求められている。
【０００８】
本発明はこうした状況に鑑みなされたものであり、患者にとっては、薬に関する知識が豊富でなくても、現在処方されている薬を自分自身が選択した薬に変更することが可能となり、その結果、薬代を軽減することができる。また調剤薬局にとっては、新たな顧客が開拓され、顧客層を縦（年代）に横（エリア）に広げることで、収益の向上と経営の安定をはかることができる。さらに製薬会社にとっては、自社製医薬品についての様々な情報を直接患者に提供することにより、製薬会社としての認知度の向上がはかれるとともに、調剤薬局の薬剤師に対しての効果的な情報提供をもたらすことができる。といった医薬品の変更支援システムを提供することを目的とするものである。
【課題を解決するための手段】
【０００９】
上記目的を達成するための手段として、請求項１に記載の医薬品の変更支援システムは、複数の製薬会社のコンピュータ、各患者のコンピュータ、並びに複数の調剤薬局のコンピュータと通信回線により接続されるネットワークサーバに設定される医薬品の変更支援システムであって、患者のコンピュータから、薬名、薬コードなどの薬データを受信する受信手段Ｒ１と、受信手段Ｒ１により受信した薬データに基づいて、その薬と有効成分が同じ薬の情報一覧を開示あるいは患者のコンピュータに向けて送信する薬情報の開示手段Ｄ１と、開示手段Ｄ１により開示あるいは送信された薬情報の一覧に基づき、患者のコンピュータから、患者が選択した薬が記載された処方希望薬品リストの開示あるいは送信を希望する旨の指示情報を受信する受信手段Ｒ２と、受信手段Ｒ２により受信した指示情報に基づき、患者のコンピュータに向けて、患者が選択した薬が記載された処方希望薬品リストを開示あるいは送信する処方希望薬品リストの開示手段Ｄ２と、を備えることを特徴とする。
【００１０】
請求項２に記載の医薬品の変更支援システムは、前記ネットワークサーバは、該ネットワークサーバと通信回線により接続される複数の調剤薬局の場所、特長、扱っている医薬品、在庫等に関する調剤薬局情報を、患者のコンピュータからのアクセスに応じて開示あるいは患者のコンピュータに向けて送信する調剤薬局情報の開示手段Ｈと、開示手段Ｈにより開示あるいは送信された調剤薬局情報に基づき、患者のコンピュータから、患者が選択した薬の調合並びに調合された薬の受け取りを希望する調剤薬局に関する指示情報を受信する受信手段Ｊと、受信手段Ｊにより受信した指示情報に基づき、患者の希望する調剤薬局のコンピュータに向けて、患者が選択した薬の調合を依頼する旨の依頼情報を送信する送信手段Ｔ１と、送信手段Ｔ１により調合依頼情報が調剤薬局のコンピュータにおいて受任された状態で患者のコンピュータに向け、前記調剤薬局おいて薬の調合が受任確認された旨の情報を送信する送信手段Ｔ２とをさらに備えることを特徴とする請求項１に記載の医薬品の変更支援システムである。
【００１１】
請求項３に記載の医薬品の変更支援システムは、前記ネットワークサーバは、該ネットワークサーバと通信回線により接続される複数の製薬会社の自社製医薬品に関する薬の詳細情報を、患者のコンピュータからのアクセスに基づいて開示あるいは患者のコンピュータに向けて送信する薬の詳細情報の開示手段Ｈを、さらに備えることを特徴とする請求項１または２に記載の医薬品の変更支援システムである。
【００１２】
請求項４に記載の医薬品の変更支援システムは、前記ネットワークサーバは、開示手段Ｄ１により開示あるいは送信された薬情報の一覧に基づき、患者のコンピュータから、患者自身が選択した薬が記載された処方箋の開示あるいは送信を希望する旨の指示情報を患者のコンピュータから受信する受信手段Ｒ３と、受信手段Ｒ３により受信した指示情報に基づき、患者のコンピュータに向けて、患者が選択した薬が記載された処方箋を開示あるいは送信する処方箋の開示手段Ｄ３とをさらに備えることを特徴とする請求項１〜３のいずれか１項に記載の医薬品の変更支援システムである。
【発明の効果】
【００１３】
本発明にあっては次に列挙する効果が得られる。
請求項１に記載の発明によると、
（１）患者は薬に関する十分な知識を有しなくとも、現在処方されている薬と同じ有効成分の他の薬に関する情報を十分知ることができる。したがって、安心して自分の希望する薬を選択することができる。
（２）担当医師に対しては、処方を希望する薬名が記載された処方希望薬品リストを提示すればよいだけなので、口頭でしかも薬に関する知識がまったくない状態で担当医に要望するのと異なり、気軽に希望する薬への変更を要望することができる。
【００１４】
請求項２に記載の発明によると、
（３）前記（１）および（２）と同様の効果が得られるとともに、患者は選択した薬を自分が指定する調剤薬局で受け取ることができる。
（４）また、調剤薬局にとっては新たな顧客層を開拓できるとともに、病院に隣接する一部調剤薬局にだけ処方箋が集中することが緩和される。したがって、薬局がつぶれてしまう可能性が減り、近隣の病院や患者に不都合や不便を与えないで済むことができる。
【００１５】
請求項３に記載の発明によると、
（５）患者は変更する薬に関するさらなる詳細な情報を得ることができるので、それに基づいてより安心して変更する薬を選択することができる。
（６）また、製薬会社にとっては患者への認知度が高まるとともに、調剤薬局の薬剤師に対して製品の有効性と信頼性をアピールすることができる。したがって、ブランドの確立を図ることができる。
【００１６】
請求項４に記載の発明によると、
（７）担当医師に対して、処方を希望する薬名が記載された処方箋を直接提示して薬の変更を要望することができる。この場合、担当医師は提示された処方箋の内容を確認し、問題がなければ署名するだけで済むので、医師自ら処方箋を作成する煩わしさがなく、多忙な医師にとってはかえって歓迎されることができる。
【発明を実施するための最良の形態】
【００１７】
以下、図面を参照して本発明の実施の形態について詳細に説明する。ただし、図面はもっぱら解説のためのものであって、本発明の技術的範囲を限定するものではない。
【実施例１】
【００１８】
図１ないし図７に示す本発明を実施するための最良の第１の形態に係る医薬品の変更支援システム１は、図１に示すように、ネットワークサーバ２、患者が保有する患者のコンピュータ３、複数の調剤薬局内に設置される調剤薬局のコンピュータ４、並びに複数の製薬会社内に設置される製薬会社のコンピュータ５にそれぞれ設定されるものであり、各コンピュータ３、４、５は通信回線Ｙ（例えばインターネット）により前期ネットワークサーバ２に接続される。また、各コンピュータ３，４，５はホームページを閲覧するためのソフトウェアであるプラウザを有する。したがって、前記ブラウザを介して各々のコンピュータの表示画面で前記ネットワークサーバ２に格納されるホームページを閲覧し、かつ操作手段で所望する情報を入手、あるいは情報を入力した場合には、その制御装置に電気的に接続する記憶手段に本システムの情報を受け取り、格納することができる。
【００１９】
患者のコンピュータ３は、図２に示すように送受信装置６を備えるとともに、前記ネットワークサーバ２に向かって、現在処方されている薬名データや選択した薬の調合を依頼する指示などを送信する送信手段７を備える。また、前記ネットワークサーバ２からの様々な情報を受信する受信手段８をあわせて備える。
【００２０】
一方、調剤薬局のコンピュータ４は、図３に示すように送受信装置９並びにメモリ１０を備える。メモリ１０には調剤薬局の薬局名、住所、電話番号、ＦＡＸ番号、特長、薬剤師の数、扱っている医薬品などの調剤薬局情報が登録手段Ａにより登録されている。また、調剤薬局のコンピュータ４においては、上記登録手段Ａに登録された調剤薬局情報を、上記ネットワークサーバ２へ送信する送信手段１１を備える。さらに患者の希望により選択された薬の調合依頼情報を前記ネットワークサーバ２から受信する受信手段１２を備える。
【００２１】
次に製薬会社のコンピュータ５は、図４に示すように送受信装置１３並びにメモリ１４を備える。また、製薬会社のコンピュータ５は、自社製の医薬品に関する詳細情報をメモリ１４に登録する薬の詳細情報登録手段Ｂを備える。薬の詳細情報には、薬の薬名、特徴、成分・効能等の説明、工夫したポイント、規格、先発品との同等性、副作用などが含まれる。さらに、製薬会社のコンピュータ５に設定される医薬品の変更支援システム１においては、上記薬の詳細情報登録手段Ｂに登録された薬の詳細情報を、上記ネットワークサーバ２へ送信する送信手段１５を備える。
【００２２】
ここで図５および図６を用いて本発明の医薬品の変更支援システム１をより具体的に説明する。前記各コンピュータ３、４、５を統括するネットワークサーバ２には、図５に示すように送受信装置１６並びにメモリ１７が備えられ、複数の調剤薬局から送信される調剤薬局情報、複数の製薬会社から送信される薬の詳細情報並びに各患者から送信される患者の個人情報を前記メモリ１７に登録する登録手段Ｃを備える。前記患者の個人情報には氏名、年齢、住所、連絡先等の基本情報と、保険者番号、公費負担者番号、被保険者証等の保険書情報を含む。また、ネットワークサーバ２には、患者のコンピュータ３から患者が現在服用している薬名あるいは薬コードなどの薬データを受信する受信手段Ｒ１と、該受信手段Ｒ１により受信された薬データに基づいて、その薬と有効成分が同じ薬の情報一覧を開示する、あるいは患者のコンピュータ３に向けて送信する薬情報の開示手段Ｄ１とを備える。
【００２３】
患者が、現在処方されている薬に対して、薬価や味、飲み易さなどに不満を感じ、変えたいと思ってはいるが、それに変わる薬に対する知識がまったくないといった場合、患者は図６に示すように、患者のコンピュータ３からネットワークサーバ２にアクセスして、現在服用している薬名あるいは薬コードなどの薬データを、該患者のコンピュータ３に備えられた送受信装置６により送信する。なお、ここでいう薬コードとは、薬や薬シート、薬局から出されるお薬手帳や処方説明書に記載される例えば「ＳＡＮＫＹＯ２３２」のようなコードを言う。
【００２４】
患者のコンピュータ３から送信された薬データはネットワークサーバ２の送受信装置１６において受信されるとともに、前記受信手段Ｒ１により受信された薬データに基づいて、あらかじめネットワークサーバ２内に登録されているメモリ１７からその薬と有効成分が同じ薬の情報一覧を、前記開示手段Ｄ１によって開示あるいは患者のコンピュータ３に向けて送信する。この開示手段Ｄ１がもたらす薬情報には、薬名、製薬会社名、新薬かジェネリック医薬品かの区分、薬価、負担額、特徴などが含まれ、患者は現在処方されている薬と有効成分が同じ薬の情報を詳しく得ることができる。
【００２５】
さらにネットワークサーバ２は、該ネットワークサーバ２と通信回線により接続される複数の製薬会社のコンピュータ５から前記送受信装置１６で受信した自社製医薬品に関する薬の詳細情報を、患者コンピュータ３からのアクセスに基づいて開示あるいは患者コンピュータ３に向けて送信する薬の詳細情報の開示手段Ｈを備える。薬の詳細情報には製薬会社独自の特徴、工夫ポイント、先発医薬品との同等性などが含まれ、患者は、前記開示手段Ｄ１によって開示された薬情報に加え、前記開示手段Ｈにて開示された薬の詳細情報をも合わせて参酌することで、今後処方してもらう薬を選択する。
【００２６】
ここで患者が選択した薬を処方してもらうためには、まず担当の医師に処方の作成を依頼しなければならない。そこでネットワークサーバ２に設定される医薬品の変更支援システム１は、前記開示手段Ｄ１により開示あるいは送信された薬情報の一覧に基づき、患者のコンピュータ３から、患者自身が選択した薬が記載された処方希望薬品リスト１８の開示あるいは送信を希望する旨の指示情報を受信する受信手段Ｒ２と、該受信手段Ｒ２により受信した指示情報に基づき、患者のコンピュータに向けて、患者が選択した薬が記載された処方希望薬品リスト１８を開示あるいは送信する処方希望薬品リストの開示手段Ｄ２とを備える。すなわち患者は、自分が選択した薬が記載された処方希望薬品リスト１８の開示あるいは送信を希望する旨を、患者のコンピュータ３に備えられた送受信装置６により送信すると同時に、必要に応じて患者自身の個人情報を合わせて送信する。すると、前記ネットワークサーバ２はその支持情報を送受信装置１６によって受信し、患者自身の個人情報は登録手段Ｃによりメモリ１７に登録されるとともに、前記開示手段Ｄ２により所定のフォームにデータが入力された処方希望薬品リスト１８を開示あるいは患者のコンピュータ３に向けて送信する。
【００２７】
前記処方希望薬品リスト１８は、図７に示すように、現在の処方薬名、量、回数、処方日数などの他、処方希望薬の一般名、薬名、従来負担額、変更後の負担額などが記載されるもので、患者はこの処方希望薬品リスト１８を患者のコンピュータ３に接続されたプリンタなどを用いて印刷し、担当医師に提示して薬の変更を要望する。
【００２８】
次に患者は選択した薬を調合してくれる調剤薬局を見つけなければならない。調剤薬局は、本来どのような薬でも調合しなければならないはずではあるが、すべての薬の在庫を保持するのは現実的には不可能である。そこで本ネットワークサーバ２に設定される医薬品の変更支援システム１は、ネットワークサーバ２と通信回線により接続される複数の調剤薬局の場所、特長、薬剤師の数、扱っている医薬品等に関する調剤薬局情報を、患者のコンピュータ３からのアクセスに基づいて開示あるいは患者のコンピュータ３に向けて送信する調剤薬局情報の開示手段Ｉと、開示手段Ｉにより開示された調剤薬局情報に基づき、患者のコンピュータ３から患者が選択した薬の調合並びに調合された薬の受け取りを希望する調剤薬局に関する指示情報を受信する受信手段Ｊとを備える。さらに前記受信手段Ｊにより受信した指示情報に基づき、患者の希望する調剤薬局のコンピュータ４に向けて、患者が選択した薬の調合を依頼する送信手段Ｔ１と、該送信手段Ｔ１により調合依頼情報が調剤薬局のコンピュータにおいて受任された状態で患者のコンピュータに向け、前記調剤薬局おいて薬の調合が受任確認された旨の情報を送信する送信手段Ｔ２とを合わせて備える。
【００２９】
すなわち、前記調剤薬局情報の開示手段Ｉは、図６に示すように患者のコンピュータ３からのアクセスによって開示され、患者はこうした調剤薬局情報の中から自分が選択した薬の調合を依頼する調剤薬局を選択して依頼する指示を送信手段７により行い、前記ネットワークサーバ２の受信手段Ｊは、その指示を受信する。すると、ネットワークサーバ２は患者が希望する調剤薬局のコンピュータ４に向けて、薬の調合を依頼する情報を送信手段Ｔ１によって送信するとともに、該調合依頼情報が調剤薬局のコンピュータ４において受任された状態を確認すると、患者のコンピュータ３に向け、希望の調剤薬局において薬の調合が受任確認された旨の情報を送信手段Ｔ２によって送信する。こうして受信手段Ｊ、送信手段Ｔ１により患者が希望する調剤薬局での調合依頼が確定され、患者はこの情報を送信手段Ｔ２により確認する。
【００３０】
上記構成の医薬品の変更支援システム１を用いれば、薬に関する知識がほとんどない患者が、現在処方されている薬をもっと薬価の安いジェネリック医薬品にあるいはもっと飲みやすい薬に変更したい場合、通信回線により接続されるネットワークサーバ２にアクセスし、まず受信手段Ｒ１、開示手段Ｄ１、さらには開示手段Ｈにより変更する薬を選択する。次に開示手段Ｉ、受信手段Ｊにより変更する薬の調合を依頼する調剤薬局を選択する。次に送信手段Ｔ１、Ｔ２により希望した調剤薬局が薬の調合を了承したことを確認した後、受診手段Ｒ２、開示手段Ｄ２により処方希望薬品リスト１８を出力する。そして、前記処方希望薬品リスト１８を担当医師に提出して処方医薬品の変更を要望する。最後に担当医師がそれを了承すれば処方箋を作成してもらえるので、該処方箋をもって選択した調剤薬局で変更した薬を受け取ることができる。
【００３１】
次に、図８および図９に示す本発明を実施するための異なる形態につき説明する。なお、これらの本発明を実施するための異なる形態の説明に当って、前記本発明を実施するための第１の形態と同一構成部分には同一または同様の符号を付して重複する説明を省略する。
【実施例２】
【００３２】
図８および図９に示す本発明を実施するための第２の形態において、前記本発明を実施するための最良の形態と主に異なる点は、前記ネットワークサーバ２は、開示手段Ｄ１により開示あるいは送信された薬情報の一覧に基づき、患者のコンピュータから、患者自身が選択した薬が記載された処方箋１９の開示あるいは送信を希望する旨の指示情報を患者のコンピュータから受信する受信手段Ｒ３と、受信手段Ｒ３により受信した指示情報に基づき、患者のコンピュータ３に向けて、患者が選択した薬が記載された処方箋１９を開示あるいは送信する処方箋の開示手段Ｄ３とをさらに備えた点である。すなわち、図８に示すように、患者は自分が選択した薬名が記載された処方箋１９の開示あるいは送信を希望する旨を、患者のコンピュータ３に備えられた送受信装置６により送信すると、前記ネットワークサーバ２はその支持情報を送受信装置１６によって受信し、前記メモリ１７に登録された患者の個人情報の中から必要事項を抽出し、所定のフォームにデータが入力たされた処方箋１９を前記開示手段Ｄ３により開示あるいは患者のコンピュータ３に向けて送信する。
【００３３】
前記処方箋１９には、図９に示すように、患者の氏名、生年月日、保険者番号等の患者情報、さらには処方薬名、処方量、処方日数等の処方薬情報に加え、２００６年４月より様式変更された、後発医薬品への変更可の欄が記載されている。
【００３４】
上記のように構成された本発明を実施するための第２の形態であるところの医薬品の変更支援システム１Ａにしても、前記本発明を実施するための最良の形態と同様な作用効果が得られるとともに、担当医師に対して、処方を希望する薬名が記載された処方箋１９を直接提示して薬の変更を要望することができる。したがって、担当医師は処方箋１９の内容を確認し、問題がなければ署名するだけで済むので、医師自ら処方箋を作成する煩わしさがなく、多忙な医師にとってはかえって歓迎されることができる。
【産業上の利用可能性】
【００３５】
本発明は製薬会社や調剤薬局などの医薬品を扱う産業分野で使用、運営、利用される。
【図面の簡単な説明】
【００３６】
【図１】本発明を実施するための最良の形態のネットワークを示す概略図。
【図２】患者のコンピュータの概略説明図。
【図３】調剤薬局のコンピュータの概略説明図。
【図４】製薬会社のコンピュータの概略説明図。
【図５】ネットワークサーバの概略説明図。
【図６】本発明を実施するための最良の形態の実施状況を示す説明図。
【図７】処方希望薬品リストの説明図。
【図８】本発明を実施するための第２の形態の実施状況を示す説明図。
【図９】処方箋の説明図。
【符号の説明】
【００３７】
１、１Ａ：医薬品の変更支援システム、
２：ネットワークサーバ、
３：患者のコンピュータ、
４：調剤薬局のコンピュータ、
５：製薬会社のコンピュータ、
６、９、１３、１６：送受信装置、
７、１１、１５：送信手段、
８、１２：受信手段、
１０、１４、１７：メモリ、
１８：処方希望薬品リスト
１９：処方箋
Ｙ：通信回線。
【図１】
2007334804.tif 000003
【図２】
2007334804.tif 000004
【図３】
2007334804.tif 000005
【図４】
2007334804.tif 000006
【図５】
2007334804.tif 000007
【図６】
2007334804.tif 000008
【図７】
2007334804.tif 000009
【図８】
2007334804.tif 000010
【図９】
2007334804.tif 000011